(57)【特許請求の範囲】
【請求項１】
共有資源としての種々のデータを記憶するデータベースと、前記映像資源における所望のシーンをユーザが保持して再利用するために払い出して編集する端末装置とを具備する映像編集システムにおいて、
前記データベースは、
映像資源をアーカイブした映像素材データと、
前記端末装置を操作する操作ユーザを管理するためのユーザ管理データと、
前記映像素材データの各シーンごとの払い出しの履歴情報を、払い出しを行った操作ユーザに対応付けて蓄積する編集履歴データとを記憶し、
前記端末装置は、
前記データベースから前記映像素材データを取得しプレビュー画像を表示する映像表示手段と、
前記プレビュー画像のシーンを特定するためのスライドバーを前記プレビュー画像とともに表示するスライドバー表示手段と、
前記操作ユーザのログイン処理を受け付け、認証された操作ユーザに関するデータを前記ユーザ管理データに蓄積するユーザ認証処理手段と、
前記編集履歴データに基づいてプレビュー画像のシーンごとの払出回数を特定し、この特定した払出回数を示す時間帯別払出回数表示バーを前記スライドバーに対応付けて表示する時間帯別払出回数表示手段と、
前記スライドバーの操作により払出の対象とするシーンが指定された場合に、前記ユーザ管理データおよび前記編集履歴データを参照して当該シーンを過去に払い出した操作ユーザを特定し、この特定した操作ユーザを前記プレビュー画像とともに表示する払出ユーザ表示処理手段とを備えることを特徴とする映像編集システム。
【請求項２】
前記時間帯別払出回数表示手段は、前記時間帯別払出回数表示バーの表示色を前記シーンごとの払出回数に対応付けてグラフィカルに表示することを特徴とする請求項１に記載の映像編集システム。
【発明の詳細な説明】
【技術分野】
【０００１】
この発明は、例えば放送局において映像資産をアーカイブし、これを複数の編集者がプレビューしたり、再利用に必要な部分を払い出したりすることが可能な映像編集システムに関する。
【背景技術】
【０００２】
近年では放送局などにおいて映像資産をアーカイブし、複数の編集者がプレビューしたり、再利用に必要な部分を払い出したりすることが一般的に行われている（例えば特許文献１、２を参照）。再利用できそうなシーンを検索するには、従来では各々の映像素材を最初から最後までプレビューして確認する必要があり、時間がかかる。シーン毎にテキスト情報やサムネイル画像を登録しておき、それを頼りに検索することでプレビュー作業を効率化することもできるが、登録作業そのものに煩雑な手間を要しオペレータの負担も大きくなる。
【特許文献１】特開２００３−３３３５１６号公報
【特許文献２】特開平８−１９０５２７号公報
【発明の開示】
【発明が解決しようとする課題】
【０００３】
以上述べたように既存の映像編集システムにおいては映像素材の再利用に際して手間や負担が大きく、何らかの対処が望まれている。  
この発明は上記事情によりなされたもので、その目的は、目的とするシーンをより効率的に選択できるようにし、これにより映像アーカイブの資産価値を高めることの可能な映像編集システムを提供することにある。
【課題を解決するための手段】
【０００４】
上記目的を達成するためにこの発明の一態様によれば、映像資源をアーカイブした映像素材データを蓄積するデータベースと、前記映像資源における所望のシーンを払い出して編集する端末装置とを具備する映像編集システムにおいて前記データベースは、前記端末装置を操作する操作ユーザを管理するためのユーザ管理データベースと、前記映像素材データの各シーンごとの払い出しの履歴情報を、払い出しを行った操作ユーザに対応付けて蓄積する編集履歴データベースとを記憶し、前記端末装置は、前記データベースから前記映像素材データを取得しプレビュー画像を表示する映像表示手段と、前記プレビュー画像のシーンを特定するためのスライドバーを前記プレビュー画像とともに表示するスライドバー表示手段と、前記操作ユーザのログイン処理を受け付け、認証された操作ユーザに関するデータを前記ユーザ管理データベースに蓄積するユーザ認証処理手段と、前記編集履歴データに基づいてプレビュー画像のシーンごとの払出回数を特定し、この特定した払出回数を示す時間帯別払出回数表示バーを前記スライドバーに対応付けて表示する時間帯別払出回数表示手段と、前記スライドバーの操作により払出の対象とするシーンが指定された場合に、前記ユーザ管理データおよび前記編集履歴データを参照して当該シーンを過去に払い出した操作ユーザを特定し、この特定した操作ユーザを前記プレビュー画像とともに表示する払出ユーザ表示処理手段とを備えることを特徴とする映像編集システムが提供される。
【０００５】
このような手段を講じることにより、各映像シーンごとに払出の履歴が管理され、プレビュー画像とともにグラフィカルに表示される。例えば払出頻度が高いほど濃い色で表示するようにすれば、端末装置のユーザは払出頻度の高いシーンを一目瞭然で把握でき、再利用すべきシーンを特定することが容易になる。従って目的とするシーンを効率的に選択できるようになり、ひいては映像アーカイブの資産価値を高めることが可能になる。
【発明の効果】
【０００６】
この発明によれば目的とするシーンをより効率的に選択できるようになり、映像アーカイブの資産価値を高めることの可能な映像編集システムを提供することができる。
【発明を実施するための最良の形態】
【０００７】
図１は、この発明に係わる映像編集システムの実施の形態を示す機能ブロック図である。このシステムは、映像編集端末１と、この映像編集端末１にＬＡＮ（Local Area Network）を介して接続されるデータベース２とを中核として形成される。データベース２は他の編集端末（図示せず）からもアクセスされ、共有資源としての種々のデータを記憶する。すなわちデータベース２には、映像素材データ２ａと、ユーザ管理データ２ｂと、編集履歴データ２ｃとが記憶される。このうち映像素材データ２ａはアーカイブされた映像資源であり、複数のユーザの共有資源である。ユーザ管理データ２ｂは、映像編集端末１を操作するユーザを管理するためのデータベースである。編集履歴データ２ｃは、映像素材データ２ａの各シーンごとに払い出しの履歴情報を対応付けたデータベースである。
【０００８】
映像編集端末１は、表示部３と、ユーザインタフェースとしての入出力部４と、制御部５とを備える。制御部５はこの実施形態に係わるソフトウェア処理機能として、映像表示処理部５ａと、スライドバー表示処理部５ｂと、ユーザ認証処理部５ｃと、時間帯別払出回数表示部５ｄと、払出ユーザ表示処理部５ｅと、払出指示処理部５ｆとを備える。
【０００９】
映像表示処理部５ａは、データベース２から映像素材データ２ａを取得し、図２に示すようなプレビュー映像１０を表示部３に表示する。スライドバー表示処理部５ｂは、プレビュー画面上にスライドバー２０を表示する。このスライドバー２０をドラッグ操作してスライドさせることにより、任意のシーンを選択することができる。スライドバー２０の左端は映像の開始位置に対応し、右端は終了位置に対応する。
【００１０】
ユーザ認証処理部５ｃは、映像編集端末１を操作するユーザの、パスワードなどによるログイン処理を受け付ける。これにより編集操作を行っているユーザを一意に特定することができる。認証されたユーザに関するデータはユーザ管理データ２ｂに蓄積される。時間帯別払出回数表示部５ｄは、編集履歴データ２ｃに基づいてプレビュー画像のシーンごとの払出回数を特定する。そして図２に示すように、スライドバー２０に対応付けて時間帯別払出回数表示バー３０を表示する。時間帯別払出回数表示バー３０は、シーンごとの払出回数を色の濃淡、あるいは色別に対応付けてグラフィカルに表示するもので、ユーザは払出回数の多いシーンを一目瞭然で把握することができる。
【００１１】
払出ユーザ表示処理部５ｅは、スライドバー２０の操作により払出の対象とするシーンが選択された場合に、ユーザ管理データ２ｂおよび編集履歴データ２ｃを参照し、当該シーンを過去に払い出したユーザを特定する。特定されたユーザは、図２に示すように例えばプレビュー画像の一部に、その払出日時（または時刻）とともに表示される。併せて当該シーンの払出回数も表示される。払出指示処理部５ｆは、例えばマウスクリックなどにより払出の対象とするシーンが決定された場合に映像素材データ２ａから当該シーンのデータを払い出す。
【００１２】
以上説明したようにこの実施形態では、映像編集端末１とデータベース２とを備えるアーカイブシステムにおいて、映像素材データの各シーンごとに、払出し指示をされた回数を払出し指示された時間（タイムコード）範囲とともに、編集履歴データ２ｃに記憶する。これにより、過去に他の編集者（ユーザ）がおこなったシーンの選択（ノウハウ）情報が蓄積され、他のユーザと共有できるようになる。
【００１３】
また、編集履歴データ２ｃをもとに、過去の払出し回数を単位時間毎にグラフィカル表示（色の濃淡など）する時間帯別払出回数表示バー３０を、プレビュー操作画面上に表示する。また、スライドバー２０をスライドさせることで目的とするシーンをプレビューさせ、時間帯別払出回数表示バー３０を目安として払出ししたい時間帯を選定できるようにする。さらに、当該時間帯を含む払出しを過去に実施したユーザ情報の一覧を払出し日と共に表示するようにしている。
【００１４】
このようにしたので、アーカイブ映像から払出ししたい部分を決定した際に、当該部分を含む映像の払出しを過去に行ったユーザに、その払い出し映像（ＶＴＲ）を保持しているかどうかを問い合わせることができる。従って、そのユーザが払出画像を保持している場合は不要な払出しを行わずともよくなるので、業務効率やシステム負荷を改善することが可能となる。これらのことから、目的とするシーンをより効率的に選択できるようになり、ひいては映像アーカイブの資産価値を高めることの可能な映像編集システムを提供することが可能になる。
【００１５】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１６】
【図１】この発明に係わる映像編集システムの実施の形態を示す機能ブロック図。
【図２】図１の表示部３におけるプレビュー画面の一例を示す図。
【符号の説明】
【００１７】
１…映像編集端末、２…データベース、２ａ…映像素材データ、２ｂ…ユーザ管理データ、２ｃ…編集履歴データ、３…表示部、４…入出力部、５…制御部、５ａ…映像表示処理部、５ｂ…スライドバー表示処理部、５ｃ…ユーザ認証処理部、５ｄ…時間帯別払出回数表示部、５ｅ…払出ユーザ表示処理部、５ｆ…払出指示処理部、１０…プレビュー映像、２０…スライドバー、３０…時間帯別払出回数表示バー
【図１】
0004703298.tif 000002
【図２】
0004703298.tif 000003